【事件の表示】
　特願２００６−　２１４９４「情報受信装置および情報受信処理方法」拒絶査定不服審判事件〔平成１９年　８月１６日出願公開、特開２００７−２０８３３１〕について、次のとおり審決する。
【結　論】
　本件審判の請求は、成り立たない。
【理　由】
第１　経緯　  
 　  
［１］手続  
　本願は、平成１８年１月３０日を出願日とする出願であって、手続の概要は以下のとおりである。 
 　
拒絶理由通知　　　　　　：平成２３年　５月　２日（起案日） 
手続補正　　　　　　　　：平成２３年　７月　８日 
拒絶査定　　　　　　　　：平成２４年　１月１１日（起案日） 
拒絶査定不服審判請求　　：平成２４年　４月１７日 
手続補正　　　　　　　　：平成２４年　４月１７日 
前置審査報告　　　　　　：平成２４年　７月　６日 
審尋　　　　　　　　　　：平成２４年　８月　８日（起案日） 
回答書　　　　　　　　　：平成２４年１０月１２日
拒絶理由通知（当審）　　：平成２５年　１月１６日（起案日） 
手続補正　　　　　　　　：平成２５年　３月２５日 
拒絶理由通知（当審）　　：平成２５年　４月　９日（起案日） 
手続補正　　　　　　　　：平成２５年　６月１７日 
　
［２］拒絶の理由  
　平成２５年４月９日付けでした、当審の拒絶の理由は、概略、以下のとおりである。  
　本願の請求項１ないし４に係る発明は、下記の刊行物に記載された発明に基づいて当業者が容易に発明をすることができたものであるから、特許法第２９条第２項の規定により、特許を受けることができない。  
　　　　　記　　  
刊行物１．特開２００５−３４０８８０号公報 
刊行物２．国際公開第２００５／０３６８８０号 
刊行物３．国際公開第０１／０１９００２号 
刊行物４．特開２００５−１０１９９１号公報 
刊行物５．特開２００５−１９８０７９号公報 
刊行物６．特開２００３−２２８５３９号公報
刊行物７．特開２００４−２２１９５９号公報
　
第２　本願発明
　本願の請求項１に係る発明（以下、「本願発明」という。）は、平成２５年６月１７日付けの手続補正書により補正された特許請求の範囲の請求項１に記載された事項により特定される、以下のとおりのものである。　
 
 　　　　　　　　　記（本願発明） 
　　【請求項１】
　サーバから配信され、番組情報を含むコンテンツ情報を受信すると、当該番組情報に対応する対応番組の録画予約を実行し、
　前記録画予約の実行後であって当該録画予約された対応番組の前に、記憶部に前記対応番組の記憶が可能であるか否かを判定し、
　記憶が可能であると判定した場合は、前記記憶部に当該対応番組を記憶させ、
　記憶が不可能であると判定した場合は、前記対応番組を記憶可能な他の記憶装置に対して、当該対応番組を当該他の記憶装置が受信して且つ当該他の記憶装置が受信した前記対応番組を記憶する要求を、前記録画予約の実行後であって当該録画予約された対応番組の前にする、
制御部を備える、
　ことを特徴とする情報受信装置。
　
第３　刊行物１に記載された発明
（１）刊行物１の記載事項
　当審が、平成２５年４月９日付けで通知した拒絶の理由に引用された刊行物である特開２００５−３４０８８０号公報（以下、刊行物１という。）には、「端末装置および端末処理プログラム」（発明の名称）に関し、図面と共に次に掲げる事項が記載されている。　
【０００１】 
　本発明は、放送を受信する機能を備えた端末装置および端末処理プログラムに関する。 
【背景技術】 
【０００２】 
　地上デジタルテレビ放送では、１チャンネル当り約６ＭＨｚの伝送帯域幅を１３のセグメント（ＯＦＤＭセグメント）に分割し、その中央の１セグメントに移動受信用に割当てており、近年、そのセグメントで放送される番組を受信する機能を搭載した携帯電話などの端末装置が開発されている。この種の装置として、例えば特許文献１には、番組視聴処理中に携帯電話部で着信が生じて通話を開始した場合、視聴中の番組の符号化映像・音声データをＳＤＲＡＭに録画する処理を開始し、通話が終了すると、録画処理を続けながら、ＳＤＲＡＭから通話開始時点の符号化映像・音声データを読み出して追いかけ再生するものが開示されている。 
 　 
【発明を実施するための最良の形態】 
【００１４】 
　以下、図面を参照して本発明の実施の形態について説明する。 
　Ａ．構成 
　図１は本発明の実施の一形態である携帯電話１０の構成を示すブロック図である。この図において、通信処理部１０１は、アンテナＡＮＴ１を介して受信復調した音声データを制御部１０２に出力する一方、制御部１０２から供給される音声データを変調して得た送信信号を高周波増幅してアンテナＡＮＴ１から送出する。制御部１０２は、ＣＰＵおよびベースバンド信号処理用のＤＳＰ等から構成され、操作部１０５のスイッチ操作に応じて携帯電話機能に係わる処理や、受信部１０９および録画再生部１１０の入出力を制御する。携帯電話機能に係わる処理として、制御部１０２は、音声信号処理および通信制御処理を実行する。音声信号処理では、通信処理部１０１が発生する通話中の音声データを音声信号にＤ／Ａ変換してスピーカ１０７から発音させたり、マイク１０６から出力される音声信号を音声データにＡ／Ｄ変換して通信処理部１０１に供給する。通信制御処理の概略については、後述するメインルーチンの動作説明で述べる。 
【００１５】 
　ＲＯＭ１０３はプログラムエリアおよびデータエリアを備える。ＲＯＭ１０３のプログラムエリアには、制御部１０２が実行する音声信号処理や通信制御処理のプログラムの他、後述するメインルーチン、待受画面表示処理、キーワード登録処理および着信報知処理の各プログラムが記憶される。ＲＯＭ１０３のデータエリアには、所定のプログラムにより参照される制御データの他、後述の各種画面（待受画面、番号入力画面、キーワード登録画面およびポップアップ画面）や各種アイコンを形成する画面データが記憶される。 
【００１６】 
　ＲＡＭ１０４は、制御部１０２が実行する各種処理に使われるフラグやレジスタデータを一時記憶するワークエリアの他、着信履歴や発信履歴などを記憶する加入者情報エリア、ユーザ好みの番組を検索するためのキーワード（後述する）が登録されるキーワード登録エリア、登録されたキーワードに対応するアイコンの属性を記憶するアイコン属性記憶エリアおよび待受画面などの各種表示画面を形成する表示エリア等を備える。 
　なお、アイコン属性記憶エリアに記憶される属性は、表示属性データと機能属性データとから構成される。表示属性データは、アイコン表示位置やアイコンを形成する画像データを指定する。機能属性データは、アイコンに対応付けられたキーワードの他、後述するお薦め度および記録データ（ユーザ好みの番組を録画した素材）を指定するデータから構成される。 
【００１７】 
　操作部１０５は、装置電源をオンオフする電源スイッチ、受信部１０９をオンオフする受信スイッチおよび録画再生部１１０に再生開始・停止を指示する再生スイッチの他、携帯電話機能に係わる各種スイッチ（例えば、通話開始／終了時に操作されるオフフック／オンフックスイッチ、ダイヤルスイッチと兼用の文字入力スイッチ、機能スイッチ、カーソルスイッチ、決定スイッチおよびクリアスイッチ等）を有する。表示部１０８はカラー液晶パネルおよび表示ドライバから構成され、制御部１０２の制御の下に待受画面など各種画面を表示する。 
【００１８】 
　受信部１０９は、受信スイッチのオン操作に応じて制御部１０２が発生する動作指示に従い受信動作し始め、ユーザ指定のチャンネルの放送をアンテナＡＮＴ２を介して受信してＯＦＤＭ復調し、これより得られるトランスポートストリーム信号から番組パケット（ＭＰＥＧデータ）を分離抽出する受信処理を実行する。また、受信部１０９は、上記の受信処理で得た番組パケットから文字放送データを復号し、その文字放送データに登録キーワード（後述する）が含まれていると、ユーザ好みの番組と判断して当該番組パケットから復号して得る映像／音声データの録画を録画再生部１１０に指示する。これにより、録画再生部１１０はユーザ好みの番組を録画し、その録画した素材を記録データとして記録保存する。 
【００１９】 
　さらに、受信部１０９では、録画開始指示したユーザ好みの番組が終了するまで当該番組の文字放送データに含まれる登録キーワードの出現回数をカウントしておき、番組終了時に録画停止を録画再生部１１０に指示すると共に、カウントした登録キーワードの出現回数に対応した「お薦め度」を設定する。また、受信部１０９は、ユーザ好みの番組の録画停止を指示した時点で、表示属性データおよび機能属性データをＲＡＭ１０４のアイコン属性記憶エリアにストアする。つまり、登録キーワードに対応付けられたアイコンを指定する表示属性データと、設定した「お薦め度」および記録データ（ユーザ好みの番組を録画した素材）を指定するデータから構成される機能属性データとをアイコン属性記憶エリアにストアする。録画再生部１１０は、受信部１０９の指示に従い、当該受信部１０９から出力される素材（映像／音声データ）を記録データとして記録保存し、制御部１０２の指示に応じて記録データを再生する。 
 　 
【００２７】
ｅ．機能スイッチがオン操作された場合
　ユーザが機能スイッチをオン操作すると、図３に示すステップＳＡ１６の判断結果が「ＹＥＳ」になり、ステップＳＡ１７に進む。ステップＳＡ１７では、ＲＯＭ１０３から読み出した機能リスト画面データに基づき機能リスト画面を表示部１０８に表示する。機能リスト画面とは、図示していないが、携帯電話１０が備える各種機能を一覧表示し、その内から選択した機能の内容を設定するための画面である。機能リスト画面が表示されると、ステップＳＡ１８に進み、機能リスト画面に一覧表示される各種設定項目の内、例えば画面の最上位行に位置する設定項目にフォーカスさせる。なお、フォーカスとは、例えば表示色を異ならせて選択状態を表示する処理を指す。そして、ステップＳＡ１９〜ＳＡ２２では、クリアスイッチ、カーソルスイッチおよび決定スイッチのオン操作に応じた処理を実行する。
【００２８】
　すなわち、機能設定を取り止めるべくクリアスイッチをオン操作した場合には、ステップＳＡ２２の判断結果が「ＹＥＳ」になり、上述のステップＳＡ２（図２参照）に処理を戻して待受画面表示状態に復帰する。一方、所望の項目（機能）をフォーカスさせるべくカーソルスイッチをオン操作すると、ステップＳＡ１９の判断結果が「ＹＥＳ」になり、ステップＳＡ２０に進み、フォーカス位置を移動させる。そして、所望の項目（機能）がフォーカスされた状態で決定スイッチをオン操作すると、ステップＳＡ２１の判断結果が「ＹＥＳ」になり、ステップＳＡ２３に進む。
【００２９】
　ステップＳＡ２３では、フォーカス位置が「キーワード登録」であるかどうかを判断する。フォーカス位置が「キーワード登録」以外であると、判断結果は「ＮＯ」となり、ステップＳＡ２４に進み、フォーカスされた項目に対応した機能設定を行う、その他の処理を実行した後、上述のステップＳＡ１７に処理を戻して機能リスト画面表示状態に復帰させる。
　一方、フォーカス位置が「キーワード登録」であると、上記ステップＳＡ２３の判断結果が「ＹＥＳ」になり、ステップＳＡ２５を介してキーワード登録処理を実行する。後述するように、キーワード登録処理では、ユーザ好みの番組を検索するためのキーワードを登録する。そして、キーワード登録処理を終えると、上述のステップＳＡ１７に処理を戻して機能設定画面表示状態に復帰させる。
【００３０】 
　ｆ．待受画面のアイコン操作に対応した処理 
　上述した各スイッチ（オフフックスイッチ、受信スイッチおよび機能スイッチ）がいずれも操作されない場合には、図４に図示するステップＳＡ２６に進み、記録データの有無、すなわちユーザ好みの番組が録画されているかどうかを判断する。ユーザ好みの番組が録画されていなければ、判断結果は「ＹＥＳ」になり、図２に示すステップＳＡ３に処理を戻す。 
　これに対し、ユーザ好みの番組が録画されていると、判断結果は「ＮＯ」になり、ステップＳＡ２７に進む。ステップＳＡ２７以降では、例えば図１１に図示する一例のように、待受画面のアイコン表示エリアＩＤＥに表示されるアイコンの操作に対応した処理を実行する。 
【００３１】 
　すなわち、カーソルスイッチがオン操作されると、ステップＳＡ２７の判断結果が「ＹＥＳ」になり、ステップＳＡ２８に進み、待受画面のアイコン表示エリアＩＤＥに複数のアイコンが表示されていれば、アイコンのフォーカス位置を移動させる。そして、ステップＳＡ２９では、フォーカスされたアイコンに対応する記録データのキーワードおよびお薦め度を読み出す。すなわち、フォーカスされたアイコンの表示属性データおよび機能属性データをＲＡＭ１０４のアイコン属性記憶エリアから読み出す。そして、ステップＳＡ３０では、読み出した表示属性データおよび機能属性データに基づき、例えば図１１に図示する一例のように、「キーワード」および録画したユーザ好みの番組の「お薦め度」を待受画面内のポップアップ画面ＰＵで表示した後、図２に示すステップＳＡ３に処理を戻す。 
 　 
【００３４】 
　（２）待受画面表示処理の動作 
　次に、図５を参照して待受画面表示処理の動作を説明する。前述したメインルーチンのステップＳＡ２（図２参照）を介して本処理が実行されると、制御部１０２は図５に示すステップＳＢ１に進み、ＲＯＭ１０３から読み出した待受画面データをＲＡＭ１０４の表示エリア（待受画面エリア）にストアし、ストアされた待受画面データに基づき待受画面を表示部１０８に表示する。次いで、ステップＳＢ２では、記録データの有無、すなわち録画再生部１１０が受信部１０９の指示に従い、ユーザ好みの番組を録画したかどうかを判断する。ユーザ好みの番組を録画していなければ、判断結果は「ＮＯ」となり、本処理を完了させる。一方、ユーザ好みの番組を録画していると、判断結果が「ＹＥＳ」になり、ステップＳＢ３に進む。 
【００３５】 
　ステップＳＢ３では、後述する受信部処理（図８参照）によって待受画面のアイコン表示エリアＩＤＥに表示されるアイコンの一つをフォカースし、続くステップＳＢ４では、フォーカスされたアイコンに対応する記録データのキーワードおよびお薦め度を読み出す。すなわち、フォーカスされたアイコンの表示属性データおよび機能属性データをＲＡＭ１０４のアイコン属性記憶エリアから読み出す。そして、ステップＳＢ５では、読み出した表示属性データおよび機能属性データに基づき、例えば図１１に図示する一例のように、「キーワード」および録画したユーザ好みの番組の「お薦め度」を待受画面内のポップアップ画面ＰＵで表示して本処理を完了させる。 
 　 
【００４１】 
　（５）受信部処理の動作 
　次に、図８〜図９を参照して、受信部１０９が実行する受信部処理の動作を説明する。受信スイッチのオン操作に応じて、制御部１０２が受信部１０９をオン設定すると、受信部１０９は図８に示すステップＳＥ１に処理を進め、受信処理を実行する。受信処理では、ユーザ指定のチャンネルの放送を受信してＯＦＤＭ復調し、これより得られるトランスポートストリーム信号から番組パケット（ＭＰＥＧデータ）を分離抽出した後、その番組パケットから映像／音声データおよび文字放送データを復号する。続いて、ステップＳＥ２では、フラグＲＦが「０」であるか否かを判断する。フラグＲＦは、録画再生部１１０に録画の実行を指示している場合に「１」、録画の停止を指示している場合に「０」となるフラグである。したがって、このステップＳＥ２では、録画再生部１１０が録画停止中であるかどうかを判断する。以下、録画再生部１１０が録画停止中の場合と、録画中の場合とに分けて受信部１０９の動作を説明する。 
【００４２】 
　＜録画再生部１１０が録画停止中の場合＞ 
　録画再生部１１０が録画停止中であると、ステップＳＥ２の判断結果は「ＹＥＳ」になり、ステップＳＥ３に進む。ステップＳＥ３では、受信データ（番組パケット）内に文字データが有るか否かを判断する。つまり、文字放送データを含む番組を受信しているかどうかを判断する。文字放送データを含む番組を受信していなければ、判断結果は「ＮＯ」になり、上述のステップＳＥ１に処理を戻す。 
【００４３】 
　一方、文字放送データを含む番組を受信していると、判断結果が「ＹＥＳ」となり、次のステップＳＥ４に進む。ステップＳＥ４では、ＲＡＭ１０４のキーワード登録エリアから読み出した登録キーワードが文字放送データに含まれているか否かを判断する。文字放送データに登録キーワードが含まれなければ、判断結果は「ＮＯ」になり、上述のステップＳＥ１に処理を戻すが、登録キーワードが含まれていると、ユーザ好みの番組と見做し、判断結果が「ＹＥＳ」となり、ステップＳＥ５に進む。ステップＳＥ５では、文字放送データに含まれる登録キーワードの出現回数をカウントするカウンタＣＴに「１」をセットする。次いで、ステップＳＥ６では、フラグＲＦに「１」をセットし、続くステップＳＥ７では、録画再生部１１０に録画開始を指示する。これにより、録画再生部１１０は、受信部１０９の受信出力、つまりユーザ好みと判断された番組パケットから復号して得る映像／音声データの録画を開始する。そして、この後、上述のステップＳＥ１に処理を戻す。
【００４４】 
　＜録画再生部１１０が録画中の場合＞ 
　こうして、録画再生部１１０がユーザ好みの番組を録画し始めると、上述したステップＳＥ２の判断結果が「ＮＯ」になり、ステップＳＥ８に処理を進める。ステップＳＥ８では、録画中の番組が終了したか否かを判断する。番組未了であれば、判断結果は「ＮＯ」になり、図９に示すステップＳＥ９に進む。ステップＳＥ９〜ＳＥ１０では、上述のステップＳＥ３〜ＳＥ４（図８参照）と同様、文字放送データを含む番組であって、その文字放送データに登録キーワードが含まれるか否かを判断する。 
【００４５】 
　文字放送データが欠落したり、あるいは文字放送データに登録キーワードが含まれない場合には、ステップＳＥ９，ＳＥ１０の判断結果がそれぞれ「ＮＯ」となり、上述のステップＳＥ１に処理を戻す。これに対し、文字放送データを含む番組であって、その文字放送データに登録キーワードが含まれていれば、ステップＳＥ９，ＳＥ１０の各判断結果は共に「ＹＥＳ」になり、ステップＳＥ１１に進む。ステップＳＥ１１では、文字放送データに登録キーワードが含まれる回数をカウントするカウンタＣＴをインクリメントして歩進させた後、上述のステップＳＥ１に処理を戻す。 
【００４６】 
　そして、録画中の番組が終了すると、図８に示すステップＳＥ８の判断結果が「ＹＥＳ」になり、ステップＳＥ１２に進み、フラグＲＦをゼロリセットする。次いで、ステップＳＥ１３では、カウンタＣＴがカウントした登録キーワードの出現回数に基づき「お薦め度」を設定する。例えば、「お薦め度」のランクを「１」〜「５」とした場合、登録キーワードの出現回数が１回だけならランク１、２回ならランク２、３回ならランク３、とするように登録キーワードの出現回数に応じて「お薦め度」を設定する。次いで、ステップＳＥ１４では、設定した「お薦め度」を機能属性データとしてＲＡＭ１０４のアイコン属性記憶エリアにストアする。 
【００４７】 
　続いて、ステップＳＥ１５では、ユーザ好みの番組を検索するのに用いた登録キーワードに対応付けるアイコンを選択し、そのアイコンの表示位置や当該アイコンを形成する画像データを指定する表示属性データをＲＡＭ１０４のアイコン属性記憶エリアにストアする。また、ステップＳＥ１５では、選択したアイコンに割り当てる登録キーワードと、記録データ（ユーザ好みの番組を録画した素材）を指定するデータとを、上記ステップＳＥ１４にてストアした「お薦め度」の機能属性データとしてＲＡＭ１０４のアイコン属性記憶エリアにストアする。こうして、ＲＡＭ１０４のアイコン属性記憶エリアに表示属性データおよび機能属性データが格納されると、受信部１０９は、ステップＳＥ１６に処理を進め、その表示属性データを参照して、例えば図１１に図示する一例のように、待受画面のアイコン表示エリアＩＤＥにアイコン表示した後、前述のステップＳＥ１に処理を戻す。 
【００４８】 
　以上のように、本実施形態によれば、ユーザ好みの番組を検索するキーワードを予め登録しておき、文字放送データを含む番組を受信し、受信した文字放送データにキーワードが含まれていると、受信中の番組をユーザ好みと判断して録画し始め、番組終了するまで文字放送データに含まれるキーワードの出現回数を計数する。番組終了に応じて録画を停止し、計数したキーワードの出現回数に基づき「お薦め度」を設定する。そして、設定された「お薦め度」とキーワードとの画面表示を指示し、かつ録画した記録データを指定する機能を割り当てたアイコンを待受画面に表示する。このアイコンがフォーカスされると、例えば図１１に図示する一例のように、キーワードおよび録画したユーザ好みの番組の「お薦め度」がポップアップ表示されるので、ユーザ好みの番組を自動的に検索して録画したり、その録画した番組のお薦め度を教示したりすることができる。さらに、この状態で再生スイッチをオン操作すると、録画した記録データが再生されるため、ユーザ好みの番組をワンタッチ操作で再生させることも可能になる。 
【００４９】 
　なお、本実施の形態では、通常のテレビ放送と文字放送とが同時に行われる地上デジタルテレビ放送を受信する受信部１０９を具備する携帯電話１０を一例としたが、本発明の要旨はこれに限定されず、例えばラジオ放送と文字放送とが多重化されたＦＭ放送などを受信する態様にも適用することができる。 
　さらに、本実施の形態では、キーワードを含む文字放送を受信したか否かでユーザ好みの番組であるか否かを判断するが、これに替えて、受信した電子番組表ＥＰＧにユーザ好みの番組を表すキーワードが含まれているかどうかで番組検索する態様にすることも勿論可能である。 
　
（２）刊行物１に記載された発明 
　以上の刊行物１の記載からみて、刊行物１には、次の構成を有する発明が記載されている。 
（２−ａ）端末装置
　【００４９】の記載によれば、「通常のテレビ放送と文字放送とが同時に行われる地上デジタルテレビ放送を受信する受信部１０９を具備する携帯電話１０を一例とした」とあるから、刊行物１に記載された発明は、地上デジタルテレビ放送を受信する受信部を具備する携帯電話に関する発明であるといえる。
　
（２−ｂ）文字放送の受信と番組の録画
　【００２７】−【００２９】の記載によれば、「ユーザが機能スイッチをオン操作」し、「機能リスト画面に一覧表示される各種設定項目の内」、「フォーカス位置が「キーワード登録」であると、上記ステップＳＡ２３の判断結果が「ＹＥＳ」になり、ステップＳＡ２５を介してキーワード登録処理を実行する。後述するように、キーワード登録処理では、ユーザ好みの番組を検索するためのキーワードを登録する。」とあるから、キーワード登録処理で登録されたキーワードは、ユーザ好みの番組を検索するためのキーワードである。
　また、【００１８】の記載によれば「受信部１０９は、上記の受信処理で得た番組パケットから文字放送データを復号し、その文字放送データに登録キーワード（後述する）が含まれていると、ユーザ好みの番組と判断して当該番組パケットから復号して得る映像／音声データの録画を録画再生部１１０に指示する。これにより、録画再生部１１０はユーザ好みの番組を録画し、その録画した素材を記録データとして記録保存する。」とあるから、受信部で番組を受信し、得た文字放送データにユーザ好みの番組を検索するための登録キーワードが含まれていると映像音声データを録画する構成が開示されている。
　
（２−ｃ）文字放送をＥＰＧデータに置き換えた構成
　刊行物１の【００４９】には、「さらに、本実施の形態では、キーワードを含む文字放送を受信したか否かでユーザ好みの番組であるか否かを判断するが、これに替えて、受信した電子番組表ＥＰＧにユーザ好みの番組を表すキーワードが含まれているかどうかで番組検索する態様にすることも勿論可能である。」の記載があるから、上記（２−ｂ）で検討した「受信部で番組を受信し、得た文字放送データにユーザ好みの番組を検索するための登録キーワードが含まれていると映像音声データを録画する構成」を「受信部で受信した電子番組表ＥＰＧデータにユーザ好みの番組を検索するための登録キーワードが含まれていると、番組を検索し映像音声データを録画する構成」が開示されているといえる。
　
（２−ｄ）まとめ
　以上まとめると、刊行物１に記載された発明として、以下の発明（以下、刊行物１発明という。）を認定できる。　
　
　地上デジタルテレビ放送を受信する受信部を具備する携帯電話に関する発明であって、
　受信部で受信した電子番組表ＥＰＧデータにユーザ好みの番組を検索するための登録キーワードが含まれていると、番組を検索し映像音声データを録画する携帯電話。
　
第４　対比
　本願発明と刊行物１発明とを対比する。
　
（４−ａ）「サーバから配信され、番組情報を含むコンテンツ情報を受信すると、当該番組情報に対応する対応番組の録画予約を実行し」
　刊行物１発明は、「受信部で受信した電子番組表ＥＰＧデータにユーザ好みの番組を検索するための登録キーワードが含まれていると、番組を検索し映像音声データを録画する携帯電話」である。
　そして、「受信部で受信」は、刊行物１発明が「地上デジタルテレビ放送を受信する受信部を具備する携帯電話に関する」発明であることからみて、サーバーから配信されているとはいえない。
　電子番組表ＥＰＧデータは番組情報を含むコンテンツデータといえることは明らかであり、上記電子番組表ＥＰＧデータにユーザ好みの番組を検索するためのキーワードが含まれていると、番組を検索し映像音声データを録画するのであるから、当該番組情報に対応する対応番組の録画をするといえる。
　本願発明の録画予約も、予約の時間になれば、録画を行うのであるから、最終的に録画を行うことには変わりはない。
　以上まとめると、刊行物１発明は「番組情報を含むコンテンツ情報を受信すると、当該番組情報に対応する対応番組の録画を実行する」点で本願発明と相違がない。
　もっとも、本願発明の受信するデータは、サーバーから配信されるのに対し、刊行物１発明では、放送波から受信している点で相違し、また、本願発明では、番組を録画するのは予約することによって録画するのに対し、刊行物１発明では、単に録画を実行する点で相違する。
　
（４−ｂ）前記録画予約の実行後であって当該録画予約された対応番組の前に、記憶部に前記対応番組の記憶が可能であるか否かを判定し、
　記憶が可能であると判定した場合は、前記記憶部に当該対応番組を記憶させ、
　記憶が不可能であると判定した場合は、前記対応番組を記憶可能な他の記憶装置に対して、当該対応番組を当該他の記憶装置が受信して且つ当該他の記憶装置が受信した前記対応番組を記憶する要求を、前記録画予約の実行後であって当該録画予約された対応番組の前にする」
　刊行物１発明は、上記（４−ａ）で検討したとおり、単に録画を実行する構成であるから、当該録画予約に関する構成は有していない。
　
（４−ｃ）「制御部を備える、ことを特徴とする情報受信装置」
　本願発明の情報受信装置は、発明の詳細な説明を参酌すると、「近年、携帯電話機に代表される携帯端末その他の情報受信装置は著しい技術革新を遂げており、例えばインターネットを介したデータ通信が可能になっている。最近では、テレビ放送の受信チューナを内蔵した情報受信装置が登場しており、注目を集めている。」（【０００２】）とあるから、携帯電話機を含むものであり、刊行物１発明の携帯電話と相違がない。
　上記刊行物１発明の携帯電話もコンテンツ情報を受信すると録画を行うような制御部を備えることは明らかである。
　もっとも、本願発明と刊行物１発明の携帯電話とでは制御部の制御の内容が、上記（４−ａ）、（４−ｂ）で検討したとおり相違していることは明らかである。
　
（４−ｄ）まとめ（一致点・相違点）
　以上の対比によれば、本願発明と刊行物１発明とは、以下の一致点で一致し、相違点で相違する。
　
（一致点）
　番組情報を含むコンテンツ情報を受信すると、当該番組情報に対応する対応番組の録画を実行する、
　制御部を備える、ことを特徴とする情報受信装置
　
（相違点）
相違点１
本願発明の受信するデータは、サーバーから配信されるのに対し、刊行物１発明では、放送波から受信している点。
　
相違点２
本願発明では、番組を録画するのは予約することによって録画するのに対し、刊行物１発明では、単に録画を実行する点。
　
相違点３
刊行物１発明は、
「前記録画予約の実行後であって当該録画予約された対応番組の前に、記憶部に前記対応番組の記憶が可能であるか否かを判定し、
　記憶が可能であると判定した場合は、前記記憶部に当該対応番組を記憶させ、
　記憶が不可能であると判定した場合は、前記対応番組を記憶可能な他の記憶装置に対して、当該対応番組を当該他の記憶装置が受信して且つ当該他の記憶装置が受信した前記対応番組を記憶する要求を、前記録画予約の実行後であって当該録画予約された対応番組の前にする」
構成を有さない点。
　
第５　判断
（５−ａ）相違点１について
　番組及び番組情報をユーザに送信するとき、刊行物１発明にあるような放送波を用いることに代えて、インターネットのようなネットワークを利用することは、当審が拒絶理由通知書にて提示した刊行物２（国際公開第２００５／０３６８８０号）にあるとおり、本願出願前よく知られたことであり、刊行物１発明の放送波を利用した電子番組表ＥＰＧデータの送信を、サーバーからの配信とすることは、当業者が容易になし得たことである。　
刊行物２、４６頁下から７行−４７頁４行の記載
「さらに、
視聴、視聴予約或いは予約録画する番組は、放送局から送信されるテレビ放送によるものには限らない。たとえばインターネット上で時間を決め流されるマルチキャスト形式の映像や音声のコンテンツであっても、視聴予約システムＰＲＡ２において、同様に扱うことができる。この場合、ＥＰＧはコンテンツ蓄積サーバから取得すればよく
　
（５−ｂ）相違点２について
　刊行物１発明の「電子番組表ＥＰＧデータ」について検討する。
　「電子番組表ＥＰＧデータ」は、通常、電子番組表を表示するためのデータであって、電子番組表は、上記番組表を表示する時点よりも時間的に将来のある時点で、どのような番組が放送されているかを表示するものである。
　したがって、「電子番組表ＥＰＧデータ」は該データを受信したときよりも将来に放送される番組に関するデータを含むものである。
　すなわち、「電子番組表ＥＰＧデータ」は、上記のように将来放送される番組に関するデータを含むことは、当業者であれば普通に知るところであり、刊行物１発明において、「受信部で受信した電子番組表ＥＰＧデータにユーザ好みの番組を検索するための登録キーワードが含まれていると、番組を検索」する番組として、将来放送される番組を想定することは当業者が容易になし得たことである。
　そして、刊行物１発明において、「受信部で受信した電子番組表ＥＰＧデータにユーザ好みの番組を検索するための登録キーワードが含まれていると、番組を検索し映像音声データを録画する」録画の対象を、上記電子番組表ＥＰＧデータに含まれる将来の番組としたとき、将来の番組をすぐに録画することはできず、上記将来の番組を録画するようになす処理として、録画予約をすることは普通に行われていることであるから、刊行物１発明において、「受信部で受信した電子番組表ＥＰＧデータにユーザ好みの番組を検索するための登録キーワードが含まれていると、番組を検索し映像音声データを録画する」録画の対象を、上記電子番組表ＥＰＧデータに含まれる将来の番組とし、録画予約動作をするような構成を採用することは、刊行物１発明に触れた当業者であれば容易に想定することができたものであるといえ、刊行物１発明の「録画」を「録画予約」とし本願発明の構成とすることは当業者が容易になし得たことである。
　
（５−ｃ）相違点３について
　刊行物１発明は、携帯電話に番組を録画するものであるが、刊行物１発明が対象とする携帯電話は、通常それほど大容量のメモリを備えておらず、録画中、あるいは録画予約時に携帯電話のメモリ残量を調べて、携帯電話に録画できる程度のメモリ残量がなければ、他の機器に録画可能であるか問い合わせ録画可能であれば録画あるいは録画予約の指示を行うことは、当審が拒絶理由通知書で提示した刊行物４（特開２００５−１０１９９１号公報）にあるように、当業者が普通に行うことである。
　加えて、録画予約について検討するに、録画予約は、録画予約から録画が行われるまでには所定の時間が経過することが前提であるが、録画予約から当該録画の実行がなされるまでの間、録画部のメモリ容量が適宜変化することが予想され、したがって、実際の録画がなされるときのメモリ容量に基づいて、録画予約がなされた機器で録画を実行するのか、他の機器に録画を肩代わりさせるのか判断する必要があることは、当審が拒絶理由通知書にて提示した刊行物７（特開２００４−２２１９５９号公報）にあるとおり、当業者が普通に想定することであるから、刊行物１発明において、電子番組表ＥＰＧデータに基づき録画予約を行おうとしたとき、刊行物４、刊行物７に記載された技術事項を適用し本願発明とすることは当業者が容易になし得たことである。
　
　なお、請求人は、上記相違点の判断について以下のとおり主張しているので検討する。
（請求人の主張）　
「しかしながら、引用文献４には、録画予約時において、メモリ容量又は電池容量の不足のために途中で録画できなくなると予測されるか否かを録画予約の前に判断し、途中で録画できなくなると予測された場合に、その旨を携帯型視聴装置に表示し、自宅の機器に録画予約するか否かをユーザが判断する技術が記載されています（段落番号００１５，００１６を参照）。つまり、引用文献４に記載されている技術は、録画予約時の処理に関するものです。
　また、引用文献７に記載されているのは、段落番号００７８などの記載から、録画予約の予約処理の完了後であって、録画予約したデータの受信が始まる前に、録画予約を実行時にデータ受信装置が受信したデータの記憶先を決定する技術であることが読み取れます。つまり、引用文献７に記載されているのは、録画予約後の処理に関するものです。
　
　かかる引用文献４および引用文献７に記載された技術を、「ＥＰＧの受信後に録画予約の指示を行」う構成を採用する引用文献１に記載された発明に適用すると、（Ａ）「ＥＰＧの受信後に」、「受信した電子番組表ＥＰＧにユーザ好みの番組を表すキーワードが含まれているかどうかで番組検索」し、（Ｂ）“録画予約の前に”、引用文献４に記載された技術を適用した処理が実行されて、（Ｃ）“「録画予約」の処理が行われた場合の後に”、引用文献７に記載された技術を適用した処理が実行される、構成となると理解するのが当業者にとって極めて自然であるものと思料します。
　かかる技術適用後の構成は、本願の請求項１，５に係る発明と異なるものですから、技術適用によってかかる構成となる引用文献１，４，７に基づいて、事後分析的かつ非論理的思考によらずして、出願当時の当業者が、本願の請求項１，５に係る発明を容易に想到し得えたものではないものと思料します。」
　
　以上の主張によれば、引用文献４、及び、引用文献７記載の技術事項を組み合わせれば、「（Ｂ）“録画予約の前に”、引用文献４に記載された技術を適用した処理が実行されて、（Ｃ）“「録画予約」の処理が行われた場合の後に”、引用文献７に記載された技術を適用した処理が実行される」のように、２回携帯電話にてメモリ容量が十分であるか判断し、他の機器に予約の肩代わりを実行させるか決定するのに対し、本願発明は、そのような構成ではない
（すなわち、「前記録画予約の実行後であって当該録画予約された対応番組の前に、記憶部に前記対応番組の記憶が可能であるか否かを判定し、
　記憶が可能であると判定した場合は、前記記憶部に当該対応番組を記憶させ、
　記憶が不可能であると判定した場合は、前記対応番組を記憶可能な他の記憶装置に対して、当該対応番組を当該他の記憶装置が受信して且つ当該他の記憶装置が受信した前記対応番組を記憶する要求を、前記録画予約の実行後であって当該録画予約された対応番組の前にする」構成であるから、上記判定および実行は、前記録画予約の実行後であって当該録画予約された対応番組の前
のみ
　と主張していると捉えることができる。
　しかし、本願明細書の【００３５】ないし【００３６】には録画予約時の処理として、空きメモリを確認し（ＳＴ６）、そのような構成を前提として、録画予約された番組を録画する際、再度空きメモリ容量を確認する構成が【００３９】ないし【００４２】に開示されているのであるから、本願発明は、このように複数回行う空きメモリ容量の確認を行う構成のうち録画予約時の空きメモリ容量の確認を特定せず、２回目の空きメモリ容量の確認（すなわち、録画予約された番組を録画する際に空きメモリ容量を確認する）のみを特定してるものと捉えることができるから、上記主張に根拠はない。
　
刊行物４（特開２００５−１０１９９１号公報）の記載事項
【発明が解決しようとする課題】
【０００４】
  携帯型電子装置は容量が有限の電池によって駆動される。また、録画内容は容量が比較的小さなメモリに格納される。このため、地上波ディジタル放送を受信可能な場所であっても、電池容量の不足やメモリ容量の不足のために、地上波ディジタル放送を視聴／録画できなくなる場合が生ずる。
  本発明は、地上波ディジタル放送の録画／再生／視聴機能と無線データ通信機能とを備えた携帯型電子装置に於いて、電池容量やメモリ容量の不足が発生した場合でも所望の録画や視聴を継続し得るようにすることを目的とする。また、電池容量やメモリ容量の不足による録画中断等のトラブルを未然に防止することを目的とする。
【課題を解決するための手段】
【０００５】
  本発明は、下記［１］〜［５］のように構成される。
［１］構成１：
  地上波ディジタル放送の視聴・録画・再生機能と、セルラー方式の移動通信の端末機能とを備えた携帯型視聴装置であって、
  地上波ディジタル放送の録画先のメモリ残量を監視するメモリ残量監視手段と、
  地上波ディジタル放送の録画中に於いて前記メモリ残量が所定値以下になると、地上波ディジタル放送の視聴・録画・再生機能と前記セルラー方式の移動通信に対応可能なデータ通信機能とを備えた所定の据置型録画装置との通信回線を接続して、前記録画中の番組の残りの録画を指令する録画指令手段と、
  を有することを特徴とする携帯型視聴装置。
［２］構成２：
  地上波ディジタル放送の視聴・録画・再生機能と、セルラー方式の移動通信の端末機能とを備えた携帯型視聴装置であって、
  電源を供給する電池残量を監視する電池残量監視手段と、
  地上波ディジタル放送の視聴中又は録画中に於いて前記電池残量が所定値以下になると、地上波ディジタル放送の視聴・録画・再生機能と前記セルラー方式の移動通信に対応可能なデータ通信機能とを備えた所定の据置型録画装置との通信回線を接続して、前記視聴中又は録画中の番組の残りの録画を指令する録画指令手段と、
  を有することを特徴とする携帯型視聴装置。
［３］構成３：
  地上波ディジタル放送の視聴・録画・再生機能と、セルラー方式の移動通信の端末機能とを備えた携帯型視聴装置であって、
  地上波ディジタル放送の録画先のメモリ残量を監視するメモリ残量監視手段と、
  電源を供給する電池残量を監視する電池残量監視手段と、
  地上波ディジタル放送の録画予約を指令するための予約入力手段と、
  前記予約入力手段により録画予約が指令された番組の録画に必要な必要メモリ量と必要電池量とをそれぞれ算出する必要量算出手段と、
  前記必要メモリ量と前記メモリ残量とを比較して、及び、前記必要電池量と前記電池残量とを比較して、前記番組を録画可能か否か判定する録画可否判定手段と、
  前記比較の結果、録画不可とされた場合は、地上波ディジタル放送の視聴・録画・再生機能と前記セルラー方式の移動通信に対応可能なデータ通信機能とを備えた所定の据置型録画装置との通信回線を接続して、前記番組の録画予約を指令する録画指令手段と、
  を有することを特徴とする携帯型視聴装置。
［４］構成４：
  前記構成１〜３の何れかに於いて、
  前記録画指令手段は、前記録画指令又は録画予約指令の内容を保存しており、
  前記携帯型視聴装置は、
  前記保存した録画指令又は録画予約指令を画面上にて選択する選択手段と、
  前記選択した録画指令又は録画予約指令に対応する録画の再生を前記所定の据置型録画装置に指令する再生指令手段と、を有する、
  ことを特徴とする携帯型視聴装置。
［５］構成５：
  地上波ディジタル放送の視聴・録画・再生機能と、セルラー方式の移動通信の端末機能とを備えた携帯型視聴装置であって、
  地上波ディジタル放送の電波強度を監視する電波強度監視手段と、
  地上波ディジタル放送の視聴中に於いて前記電波強度が所定値以下になると、地上波ディジタル放送の視聴・録画・再生機能と前記セルラー方式の移動通信に対応可能なデータ通信機能とを備えた所定の据置型録画装置との通信回線を接続して、前記視聴中の番組の転送を指令する転送指令手段と、
  を有することを特徴とする携帯型視聴装置。
【発明の効果】
【０００６】
  前記構成１の装置では、メモリ残量が不足した場合に、据置型装置に録画中の番組の残りの部分を録画代行させることができる。
  前記構成２の装置では、電池残量が不足した場合に、据置型装置に録画中の番組の残りの部分を録画代行させることができる。
  前記構成３の装置では、メモリ残量又は電池残量が録画予約に鑑みて不足の場合に、据置型装置に録画予約を代行させることができる。
  前記構成４の装置では、録画代行させた番組の再生を簡単に行うことができる。
  前記構成５の装置では、地上波ディジタル放送の電波が弱まった場合に、据置装置からの転送で視聴を続けることができる。
【発明を実施するための最良の形態】
【０００７】
  以下、図面を参照して、本発明の実施の形態を説明する。
  図１は実施の形態の携帯型視聴装置（携帯型電子装置）１００の構成を示すブロック図であり、図２は図１の携帯型視聴装置１００が用いられる環境を示す説明図である。
  図１に示すように、携帯型視聴装置１００は、地上波ディジタル放送を受信して録画／再生／視聴する機能と、無線基地局４０１等を介して他の通信装置（据置型通信・制御装置２０１）との間でデータ通信を行う機能と、を備えた携帯型電子装置であり、テレビ部と、携帯電話部と、共通部から成る。テレビ部は、チューナ３３と、ＭＰＥＧ４デコーダ３２と、ＭＰＥＧ４エンコーダ３１を有する。携帯電話部は、無線送受信部２２と、マイク２１有する。共通部は、ＣＰＵ１１と、ＲＯＭ１２と、ＲＡＭ（メモリ）１３と、電池１５と、電池残量検出部１３と、操作パネル１６と、スピーカ１７と、表示装置（液晶表示パネル）１８を有する。
【０００８】
  上記チューナ３３は、地上波ディジタル放送で放送されるＭＰＥＧ４のビットストリームを取り出して、ＭＰＥＧ４デコーダ３２に与える。地上波ディジタル放送の電波強度の評価は、チューナ３３での動作の不具合等に基づいて行うことができる。チューナ３３の起動指令や所望の放送局を選局するための選局情報は、ＣＰＵ１１から与えられる。ＭＰＥＧ４エンコーダ３１は、ＭＰＥＧ４に従うビットストリームを出力する。ＭＰＥＧ４デコーダ３１は、視聴時、ＭＰＥＧ４に従うビットストリームをデコードして、表示装置１８に与える。ＭＰＥＧ４のビットストリームは、録画時、メモリ１３に格納される。ＣＰＵ１１は、メモリ１３の残量（正確には、メモリ１３の中で録画用に確保されている部分中での残量）を、常時監視している。なお、図１では、本携帯型視聴装置内の記憶装置全体を、単一のメモリ１３として示している。つまり、視聴時のビデオメモリやバッファメモリ、ＣＰＵ１１の作業用のメモリ、上記録画用のメモリ等を、メモリ１３として代表して示している。
【０００９】
  電池残量検出部１３は、常時、電池１５の残量を監視しており、その検出結果を、例えば、「％表示」等の値としてＣＰＵ１１に与える。この電池残量検出部１３は、公知の電池残量検出回路を用いて構成することができる。電池残量検出回路は、例えば、「http://www.mitsumi.co.jp/Catalog/ic/battery/mm/1251/text01.pdf」に示されているように公知であり、本発明ではその機能を利用すれば足りるため、回路構成等の詳細な説明は省略する。
【００１０】
  無線送受信部２２は、セルラー方式の移動電話（携帯電話，ＰＨＳ）での無線通信を制御する。図２内上段部分は、この無線通信方式の概要を示す。セルラー移動電話方式は周知であるため、説明は省略する。
  図２に示すように、本携帯型視聴装置１００と、相手側装置である据置型通信・制御装置２０１及び据置型視聴・録画装置２０２は、ともに、地上波ディジタル放送を受信して視聴／録画／再生可能であり、且つ、セルラー方式の移動通信網４００を介して、相互にデータ通信可能である。
【００１１】
  図１は、携帯型視聴装置１００の構成を示す図であるが、携帯型視聴装置１００から録画指令やデータ転送指令を受ける（詳細は後述）ところの装置である据置型通信・制御装置２０１及び据置型視聴・録画装置２０２の構成も、略、図１と同様である。なお、据置型通信・制御装置２０１及び据置型視聴・録画装置２０２は、据置型であるため、電池や電池１５や残量検出部１４は不要である。また、データ通信のみで足りる場合（電話機能が不要な場合）は、マイク２１も不要となる。
  本発明は携帯型視聴装置１００に関するものであるため、相手側装置（据置型通信・制御装置２０１及び据置型視聴・録画装置２０２）は、本携帯型視聴装置１００からの指令に対応できる機能があるものとして説明することとし、相手側装置の詳細についての説明は省略する。
【００１２】
録画／視聴中にメモリ／電池残量不足が生じた場合：
  図３は、地上波ディジタル放送の番組録画中又は視聴中に、メモリ残量の不足又は電池残量の不足が生じた場合の処理を示す。
  携帯型視聴装置１００は、地上波ディジタル放送の録画／視聴中、常時、メモリ残量と電池残量を監視している。
  メモリ残量が所定の基準値以下になると（Ｓ０１でＹＥＳ）、番組の録画中であるか又は視聴中であるかをチェックする（Ｓ０３）。
  録画中の場合は（Ｓ０３で録画中）、まもなくメモリ不足のために録画を継続できなくなるため、液晶表示パネル１８に、「メモリ残量不足のため、まもなく録画を継続できなくなります。自宅の機器で録画を継続するか否か選択して下さい」という趣旨のメッセージを表示して、ユーザの選択を待機する。
  なお、前記ステップＳ０３で番組視聴中の場合は（Ｓ０３で視聴中）、メモリ不足は番組視聴に影響しないため、無視する。
【００１３】
  また、電池残量が所定の基準値以下になると（Ｓ０７でＹＥＳ）、まもなく電池不足のために録画も視聴も継続できなくなるため、液晶表示パネル１８に、「電池残量不足のため、まもなく録画／視聴を継続できなくなります。自宅の機器で録画する（録画中の録画を継続する／視聴中の残りを録画する）か否か選択して下さい」という趣旨のメッセージを表示して、ユーザの選択を待機する。
【００１４】
  上記待機中（メモリ残量不足の場合の待機中／電池残量不足の場合の待機中）にユーザの選択入力が行われると、その種別をチェックする（Ｓ１１）。
  その結果、録画すべき旨が入力された場合は（Ｓ１１で録画必要）、無線送受信部２２を起動して、自宅機器２０１（据置型通信・制御装置２０１；設置場所は自宅でなくてもよい。当該ユーザが利用できる機器であればよい）との間の無線データ通信回線を接続するための処理を実行し（Ｓ１３）、回線が接続されると（Ｓ１５でＹＥＳ）、当該自宅機器２０１に宛てて録画対象の番組を特定する情報と録画指令とを送る。また、この送信データを、所定のメモリエリア（図５参照）に保存する。
  上記録画指令に応答して、自宅機器２０１から「録画可」の旨が返された場合は、自宅機機２０１へ録画を指示した旨を、液晶表示パネル１８に表示する（Ｓ２３）。自宅機器２０１は、据置型視聴・録画装置２０２での録画が可能な場合に、「録画可」の旨を返すものとする。録画可能な場合とは、例えば、据置型視聴・録画装置２０２の録画用のメモリ（ハードディスク等）容量が当該録画にとって十分にあり、且つ、当該時間帯に他の録画予約が無い場合である。
  一方、上記録画指令に応答して、自宅機器２０１から「録画不可」の旨が返された場合は、自宅機器２０１で録画できない旨を、液晶表示パネル１８に表示する（Ｓ２５）。
  その後、所定の終了処理（Ｓ２７）を行って、本処理を終了する。
【００１５】
録画予約時にメモリ／電池容量不足が予測された場合：
  図４は、地上波ディジタル放送の番組の録画予約時に於いて、メモリ容量又は電池容量の不足のために途中で録画できなくなると予測された場合の処理を示す。
  携帯型視聴装置１００は、地上波ディジタル放送の録画予約を指令するユーザ入力が検出されると、当該予約に係る番組の放送時間に基づいて録画に必要なメモリ量と電池量を求めて（Ｓ４１）、それぞれ、現在のメモリ残量及び電池残量と比較する（Ｓ４３，Ｓ４７）。その結果、現在のメモリ残量が、ステップＳ４１で求めた必要メモリ量以下の場合は（Ｓ４３でＹＥＳ）、メモリ容量不足のために途中で録画できなくなるため、液晶表示パネル１８に、「メモリ容量不足のため途中で録画できなくなります。自宅の機器に録画予約するか否か選択して下さい」という趣旨のメッセージを表示して、ユーザの選択を待機する。また、現在の電池容量が、ステップＳ４１で求めた必要電池量以下の場合は（Ｓ４７でＹＥＳ）、電池容量不足のために途中で録画できなくなるため、液晶表示パネル１８に、「電池容量不足のため途中で録画できなくなります。自宅の機器に録画予約するか否か選択して下さい」という趣旨のメッセージを表示して、ユーザの選択を待機する。
  なお、現在のメモリ残量が必要メモリ量を越えており（Ｓ４３でＮＯ）、且つ、現在の電池残量が必要電池量を越えている場合は（Ｓ４７でＮＯ）、当該携帯型視聴装置での録画に支障は無いため、当該携帯型視聴装置に対して録画予約を行う（Ｓ６９）。
【００１６】
  上記待機中（メモリ容量不足の場合の待機中／電池容量不足の場合の待機中）にユーザの選択入力が行われると、その種別をチェックする（Ｓ５１）。
  その結果、自宅機器（据置型視聴・録画装置２０２）に録画を予約すべき旨が入力された場合は（Ｓ５１で自宅機に予約）、無線送受信部２２を起動して、自宅機器（据置型通信・制御装置２０１）との間の無線データ通信回線を接続するための処理を実行し（Ｓ５３）、回線が接続されると（Ｓ５５でＹＥＳ）、当該自宅機器２０１に宛てて録画予約対象の番組を特定する情報と録画予約指令とを送る。また、この送信データを、所定のメモリエリア（図５参照）に保存する。
  上記録画の予約指令に応答して、自宅機器２０１から「録画予約可」の旨が返された場合は、自宅機機２０１へ当該番組の録画予約を指示した旨を、液晶表示パネル１８に表示する（Ｓ６３）。自宅機器２０１は、据置型視聴・録画装置２０２での録画予約が可能な場合に、「録画予約可」の旨を返すものとする。録画予約可能な場合とは、例えば、据置型視聴・録画装置２０２の録画用のメモリ（ハードディスク等）容量が当該番組の録画に十分で、且つ、当該予約時間帯に他の録画予約が無い場合である。
  一方、上記録画予約指令に応答して、自宅機器２０１から「録画予約不可」の旨が返された場合は、当該番組を自宅機器２０１で録画できない旨を、液晶表示パネル１８に表示する（Ｓ６５）。
  その後、所定の終了処理（Ｓ６７）を行って、本処理を終了する。
　
刊行物７（特開２００４−２２１９５９号公報）の記載事項
【００６９】
録画予約入力受付部１０２０１は、録画予約の入力を受け付ける。録画予約入力受付部１０２０１は、通常、入力受付部１２０１と実現手段は同じである。ただし、録画予約入力受付部１０２０１は、メニュー画面およびその制御ソフトウェアで実現され、入力受付部１２０１は、リモコンのドライバーソフトで実現される場合等、実現手段が異なる場合はあり得る。
【００７０】
容量算出部１０２０２は、録画予約入力受付部１０２０１が受け付けた録画予約のデータを録画するために必要な容量を算出する。容量算出部１０２０２は、通常、ＭＰＵやメモリ等から実現され得る。容量算出部１０２０２がデータを録画するために必要な容量を算出するための処理手順は、通常、ソフトウェアで実現され、当該ソフトウェアはＲＯＭ等の記録媒体に記録されている。但し、ハードウェア（専用回路）で実現しても良い。
【００７１】
装置決定部１０２０３は、容量算出部１０２０２が算出した必要な容量に基づいて、データを送信するデータ格納装置を決定する。装置決定部１０２０３は、例えば、上記容量以上の空き領域があるか否かを、データ格納装置１０３に問い合わせ、上記容量以上の空き領域があるデータ格納装置１０３を、データ送信先の装置に決定する。かかる場合、データ格納装置１０３から蓄積可否に関する情報を受信する。また、装置決定部１０２０３は、例えば、容量算出部１０２０２が算出した必要な容量と、蓄積している装置情報に基づいて、データを送信するデータ格納装置を決定しても良い（かかる処理は、実施の形態１で説明済みである）。装置決定部１０２０３は、通常、ＭＰＵやメモリ等から実現され得る。装置決定部１０２０３が装置を決定するための処理手順は、通常、ソフトウェアで実現され、当該ソフトウェアはＲＯＭ等の記録媒体に記録されている。但し、ハードウェア（専用回路）で実現しても良い。
　
【００７３】
蓄積可否送信部１０３０２は、データ受信装置１０２からの問い合わせにより、データが蓄積可能であるか否かを判断し、データの蓄積可否の情報をデータ受信装置１０２に送信する。なお、蓄積可否送信部１０３０２は、データが蓄積可能であるか否かは、例えば、以下のように判断する。つまり、蓄積可否送信部１０３０２は、装置情報格納部１３０１の装置情報が有する空き容量と、データ受信装置１０２からの問い合わせの情報が含むデータの容量を比較し、「空き容量＞＝データの容量」である場合には、蓄積可の情報を送信する。また、「空き容量＜データの容量」である場合には、蓄積不可の情報を送信する。蓄積可否送信部１０３０２は、データを送信する手段と上記の処理を行うソフトウェア等で実現され得る。
　
【００７８】
（ステップＳ１１０４）装置決定部１０２０３は、データを送信するデータ格納装置を決定する。この装置決定ルーチンの詳細は、図１２のフローチャートを用いて説明する。また、装置決定ルーチンは、録画予約したデータの受信が始まる前に完了してれば良く、録画予約したデータの受信が始まる直前が好適である。データを送信する直前のデータ格納装置の正確な状況（データ蓄積の可否）が判断できるからである。
　
第６　効果
　以上のように、上記相違点は、当業者が容易に想到し得たものと認められ、本願発明全体としてみても格別のものはなく、その作用効果も、上記相違点に係る構成の採用に伴って当然に予測される程度のものにすぎず、格別顕著なものがあるとは認められない。
　
第７　むすび
　以上のとおり、本願発明は、刊行物１に記載された発明に基づいて、当業者が容易に発明をすることができたものであるから、特許法第２９条第２項の規定により特許を受けることができない。
　したがって、残る請求項２ないし５に係る発明について検討するまでもなく、本願は拒絶すべきものである。
　よって、結論のとおり審決する。